【事件の表示】
　特願２００９−　３７３０６「髪型決定支援システム」拒絶査定不服審判事件〔平成２２年　９月　２日出願公開、特開２０１０−１９１８３１〕について、次のとおり審決する。
【結　論】
　本件審判の請求は、成り立たない。
【理　由】
第１　手続の経緯
　本願は、平成２１年２月２０日の出願であって、平成２５年８月３０日付けで拒絶理由通知がなされ、同年１１月２５日に意見書が提出されるとともに、手続補正がなされたが、平成２６年４月９日付けで拒絶査定がなされたものである。
　これに対して、平成２６年８月８日付けで拒絶査定不服審判が請求されるとともに、同日付で手続補正がなされものである。
第２　平成２６年８月８日付け手続補正について
１　補正の内容
（１）本件補正後の特許請求の範囲の記載
　平成２６年８月８日付けの手続補正（以下、「本件補正」という。）により補正された特許請求の範囲の記載は次のとおりである。（なお、下線は、補正の箇所を示すものとして審判請求人が付加したものである。）
「【請求項１】
　顧客ごとに過去にセットされた髪型の撮像データが記憶されたサーバを備えた髪型決定支援システムにおいて、サーバに無線通信回線を介して表示端末機が接続され、サーバは過去にセットされた髪型が複数の角度から撮像され撮像日ごとに複数の撮像データを並列して表示することができ各顧客の表示のトップ画面に並列された撮像日が選択されることによって各撮像日の画面が開かれる
と共に過去にセットされた髪型のセット作業の動画を含む
　　【請求項２】
　請求項１の髪型決定支援システムにおいて、ファイルは過去にセットされた髪型の少なくとも正面，背面，側面の３つの角度の撮像データを含むことを特徴とする髪型決定支援システム。
　　【請求項３】
　請求項１または２の髪型決定支援システムにおいて、ファイルは撮像データとともに表示されセットされた髪型の必要事項を説明する文字データを含むことを特徴とする髪型決定支援システム。
　　【請求項４】
　請求項
１〜３
（２）補正前の特許請求の範囲の記載
　本件補正前の特許請求の範囲の記載は次のとおりである。
「【請求項１】
　顧客ごとに過去にセットされた髪型の撮像データが記憶されたサーバを備えた髪型決定支援システムにおいて、サーバに無線通信回線を介して表示端末機が接続され、サーバは過去にセットされた髪型が複数の角度から撮像され撮像日ごとに複数の撮像データを並列して表示することができ各顧客の表示のトップ画面に並列された撮像日が選択されることによって各撮像日の画面が開かれるファイルとして記憶されたデータベースを有し、表示端末機は携帯性を有してサーバのデータベースに記憶されているファイルを閲覧可能に表示するディスプレイを有し顧客が使用するファイルの閲覧専用の顧客用表示端末機と店舗が使用するファイルの閲覧とファイルへのデータ入力との双方を実行できる店舗用表示端末機とからなることを特徴とする髪型決定支援システム。
　　【請求項２】
　請求項１の髪型決定支援システムにおいて、ファイルは過去にセットされた髪型の少なくとも正面，背面，側面の３つの角度の撮像データを含むことを特徴とする髪型決定支援システム。
　　【請求項３】
　請求項１または２の髪型決定支援システムにおいて、ファイルは撮像データとともに表示されセットされた髪型の必要事項を説明する文字データを含むことを特徴とする髪型決定支援システム。
　　【請求項４】
　請求項１〜３のいずれかの髪型決定支援システムにおいて、ファイルは過去にセットされた髪型の動画やセット作業の動画を含むことを特徴とする髪型決定支援システム。
　　【請求項５】
　請求項１〜４のいずれかの髪型決定支援システムにおいて、無線通信回線は携帯電話通信網であり、表示端末機は携帯電話であることを特徴とする髪型決定支援システム。」
２　補正の適否について
（１）補正の目的について
　補正後の請求項１における「
共に過去にセットされた髪型のセット作業の動画を含む
　そして、補正後の請求項１乃至４に記載された発明は、それぞれ補正前の請求項４，２，３，５に記載された発明に対応する。
　そうすると、本件補正は、補正前の請求項１に記載された発明を削除するとともに、補正前の請求項４に記載された発明を補正後の請求項１に記載された発明とするものであると認められるから、請求項の削除を目的とするものである。
３　小括
　上記「２　補正の適否について」で検討したように、本件補正は、特許法第１７条の２第５項第１号に規定された「第３６条第５項に規定する請求項の削除」を目的とするものに該当する。
第３　進歩性について
（１）本願発明
　上記のとおり、平成２６年８月８日付けの手続補正は、特許法第１７条の２第５項第１号に規定された「第３６条第５項に規定する請求項の削除」を目的とするものでるから、本願の請求項１に係る発明は、平成２６年８月８日付けの手続補正書によって補正された特許請求の範囲の請求項１に記載された事項により特定される次のとおりのものである。（以下、「本願発明」という。）
「【請求項１】
　顧客ごとに過去にセットされた髪型の撮像データが記憶されたサーバを備えた髪型決定支援システムにおいて、サーバに無線通信回線を介して表示端末機が接続され、サーバは過去にセットされた髪型が複数の角度から撮像され撮像日ごとに複数の撮像データを並列して表示することができ各顧客の表示のトップ画面に並列された撮像日が選択されることによって各撮像日の画面が開かれると共に過去にセットされた髪型のセット作業の動画を含むファイルとして記憶されたデータベースを有し、表示端末機は携帯性を有してサーバのデータベースに記憶されているファイルを閲覧可能に表示するディスプレイを有し顧客が使用するファイルの閲覧専用の顧客用表示端末機と店舗が使用するファイルの閲覧とファイルへのデータ入力との双方を実行できる店舗用表示端末機とからなることを特徴とする髪型決定支援システム。」
（２）引用例
（２−１）引用例１について
　原査定の拒絶の理由に引用された特開２００４−１１８５３４号公報（以下，「引用例１」という。）には、図面とともに、以下のことが記載されている。（以下「引用例１指摘事項」という。）（なお、下線は、当審において付与した。以下、同じ。）
（ア）【０００１】
【発明の属する技術分野】
本発明は、理美容院
におけるコンピュータを使用しての顧客管理装置
撮影画像による顧客管理装置
（イ）「【００１４】
【発明の実施の形態】
以下、本発明に係る撮影画像による顧客管理装置、ここでは、理美容院で使用した場合の一実施の形態を図面と共に説明する。
図１は撮影画像による顧客管理装置のシステムブロック図を示し
【００１５】
３は同じく理美容院に設置され、後述するカメラ５よりの画像を記憶する画像サーバ
【００１６】
４は前記サロンＰＣ１と画像サーバ３とでネットワークを構成するＷＷＷサーバにして、該ＷＷＷサーバ４には後述するカメラ５で撮影した被施術者のヘアスタイル画像を表示するための画像カルテＣＧＩ（Ｃｏｍｍｏｎ　Ｇａｔｅｗａｙ　Ｉｎｔｅｒｆａｃｅ）が搭載されている。
５は前記画像サーバに接続された顧客である被施術者のヘアスタイルや顔の画像をデジタル信号やアナログ信号として出力するカメラである。
【００１７】
理美容椅子６には回転角度を検出するための角度センサ６ａが取付けられており、画像サーバ３に対して理美容椅子６のカメラに対する角度信号を出力する。これは、
被施術者のヘアスタイルを撮影する際に、正面からの写真か、側面からの写真か、あるいは、背面からの写真かを画像サーバ３に対して送信し、画像サーバ３において格納する際に、撮影した画像を分類して整理するためである。
【００１８】
７は前記カメラ５よりの画像を取り込むための撮影スイッチにして、画像サーバ３と有線あるいは無線で接続されている。そして、撮影スイッチ７を操作することで、着座している被施術者のヘアスタイル画像が画像サーバ３に格納されることとなる。なお、前記角度センサ６ａによって複数の画像を取り込む場合には、理美容椅子６が停止した位置毎に撮影スイッチ７を操作することは勿論のことである。
【００１９】
８は前記ＷＷＷサーバ４と無線ランによって前記ネットワークに接続されるモバイル端末機にして、該モバイル端末機８はカメラ５よりの画像を前記画像サーバ３に取り込むためのタッチパネルとなっており、また、モバイル端末機８はキーボードやペン入力によって文字入力も行えるようになっている。
（ウ）「【００２１】
前記した画像サーバ３の記憶装置３１には、顧客の画像ファイル、前記顧客カルテデータベースの顧客名とリンクされた顧客名、前記理美容師別施術画像データベースとリンクされた担当者および施術日時とリンクされた撮影日時や画像ファイル名、その他属性等が記憶された撮影画像データベース３１１と、前記撮影画像データベース３１１にカメラ５で撮影した顧客の画像を記録するための画像分類記録アプリケーション３１２と、前記理美容椅子６の角度センサ６ａよりの出力（理美容椅子６の角度）を前記画像分類記録アプリケーション３１２に出力する椅子角度検知アプリケーション３１３と、顧客および理美容師が所有する無線タグよりの認識データを読み込み前記画像分類記録アプリケーション３１２に出力する無線タグ読込アプリケーション３１４と、前記カメラ５で撮影した顧客の画像を前記画像分類記録アプリケーション３１２に出力する画像撮影アプリケーション３１５とが格納されている。」
（エ）「【００２８】
なお、前記撮影を行うに際して、顧客の正面、側面、背面等のように各方向からの画像が必要な場合には、例えば、理美容椅子６を正面に向けた状態、側面に向けた状態および背面に向けた状態で撮影を行う場合には、該理美容椅子６の角度センサ６ａより椅子の角度が椅子角度検知アプリケーション３１３に記憶され、画像分類記録アプリケーション３１２は前記カメラ５より取り込んだ前記３つの位置での画像と理美容椅子６の回転角度とを関連付けして、その画像とファイル名とを撮影画像データベース３１１において記憶する
（オ）「【００３２】
次に、モバイル端末機８による画像カルテＣＧＩの動作を図５のフローチャートと共に説明する。
先ず、理美容師はモバイル端末機８を携帯し無線ランによってネットワークに接続し、予めＷＷＷサーバ４の画像カルテＣＧＩをモバイル端末機８のブラウザで読み込んだ画像カルテ画面を表示しておく。なお、画像カルテＣＧＩは、ＣＧＩプログラムであるので、ブラウザからアクセスされるＷＷＷサーバ内で必要な処理を実行して、その結果を元にＨＴＭＬを生成しブラウザに送信する処理を行っている。すなわち、カルテ画面はＨＴＭＬ形式であるが、以降の説明ではこのＨＴＭＬ生成処理の説明は省略する。
・・・＜　中　略　＞・・・
【００３９】
また、
理美容師が施術後の施術内容を記録したいと思った場合には、画像カルテのコメント（施術内容）の欄に、ペン入力等によって施術内容を記載することで、該記載内容が表示されると共に顧客カルテデータベース１１３のその他属性に記憶される（ステップＳ５２）
（カ）「【００４１】
また、
前記したモバイル端末機８におけるカルテ画面の施術日変更ボタンをクリックすることで、以前に来店した時に撮影した撮影画像を表示することもできるので、該撮影画像を顧客に見せながらカウンセリングを行ったりすることも可能である
（１−２）引用例１記載の発明について
　上記（ア）〜（カ）の記載及び関連する図面を参照すると、次のことがいえる。
（ａ）上記（ア）段落【０００１】の記載から、引用例１記載の発明は、理美容院における撮影画像による顧客管理装置についての発明である。
（ｂ）上記（イ）段落【００１４】の記載から、引用例１記載の理美容院における撮影画像による顧客管理装置はシステムとして表されている。
（ｃ）上記（イ）段落【００１５】および【００１６】の記載から、引用例１記載の理美容院における撮影画像による顧客管理システムは、顧客である被施術者のヘアスタイルや顔の画像を記憶する画像サーバを備えている。
（ｄ）上記（ウ）段落【００２１】の記載から、画像サーバ３には、顧客の画像ファイル、前記顧客カルテデータベースの顧客名とリンクされた顧客名、前記理美容師別施術画像データベースとリンクされた担当者および施術日時とリンクされた撮影日時や画像ファイル名、その他属性等が記憶された撮影画像データベース３１１を備えている。
（ｅ）上記（イ）段落【００１７】および（エ）段落【００２８】の記載から、画像サーバに記憶される画像は、被施術者のヘアスタイルを正面、側面、あるいは、背面から撮影したものである。
（ｆ）上記（イ）段落【００１９】の記載から、理美容院における撮影画像による顧客管理システムは、無線ランによってネットワークに接続されるモバイル端末機を備えている。
（ｇ）上記（イ）段落【００１９】および（オ）段落【００３９】の記載から、モバイル端末機は、理美容師がペン入力等によって施術内容を顧客カルテデータベースに記憶させることができる。
（ｈ）上記（カ）段落【００４１】の記載から、モバイル端末は施術日変更ボタンをクリックすることで、来店した時に撮影した撮影画像を表示し、該撮影画像を顧客に見せながらカウンセリングを行うことができる。
　上記（ａ）〜（ｈ）の事項を踏まえると、引用例１には、実質的に次の発明（以下、「引用例１発明」という。）が記載されているものと認められる。
「理美容院における撮影画像による顧客管理システムにおいて、
被施術者のヘアスタイルを正面、側面、あるいは、背面から撮影した画像を記憶した撮影画像データベースを有する画像サーバ、および
無線ランによってネットワークに接続されるモバイル端末機を備えており、
モバイル端末機は、施術日変更ボタンをクリックすることで、来店した時に撮影した撮影画像を表示し、該撮影画像を顧客に見せながらカウンセリングを行うと共に、
ペン入力等によって施術内容を顧客カルテデータベースに記憶させることができる
理美容院における撮影画像による顧客管理システム。」
（２−３）引用例２の発明について
　原査定の拒絶の理由に引用された特開２００２−１５０５６号公報（以下，「引用例２」という。）には、図面とともに、以下のことが記載されている。
（キ）「【００１１】  写真保存欄（図５）は、２つ用意してあり、それぞれクリックして現れるダイアログから施術後の完成したヘ
アスタイルの写真を取り込んで表示
【００１２】  施術履歴欄（図６）は、自動的に入力出きる来店日、そして、施術内容、料金、担当者が入力できる。ここの、
来店日を選択してクリックすることにより、１年前の施術の技術データや完成ヘアスタイルを呼び出すことができる。
（ク）図６に示されている画面は、左上ウインドウに「お客様」や「氏名」欄、「住所」欄等があることから、各顧客のトップ画面であると認められる。
　また、図６に示されている画面では、右上ウインドウに「年月日」欄、「施術内容」欄、「料金」欄、「担当」欄が有ることから、上記（キ）に記載されている「
来店日を選択してクリックする
　前記（キ）および（ク）によれば、引用例２には，次の事項が記載されているといえる。
　
＜引用例２の記載事項＞
　「各顧客のトップ画面の並列された来店日が選択されることにより、選択された来店日の施術後の完成したヘアスタイルの写真が呼び出される」こと。
（２−４）引用例３の発明について
　原査定の拒絶の理由に引用された特開２００２−１４９８０５号公報（以下，「引用例３」という。）には、図面とともに、以下のことが記載されている。
（ケ）「【００２４】
【実施例】
図１〜２を参照して、本発明の美容院又は理容院管理システムを使用した、とくにそのヘアスタイルの閲覧方法を説明する。
【００２５】会員１０は特定の美容院又は理容院の顧客会員である。顧客会員は予め会員登録を行う。会員１０には会員番号とパスワードが与えられる。それと同時に、会員カードを発行してもよい。
【００２６】会員１０の写真が美容院又は理容院において撮影される。写真は会員１０のヘアスタイルを中心に撮影された写真であり、前後左右のヘアスタイルをセットで撮影したものが好ましい。撮影にはデジタルカメラが使用され、写真はデジタル方式の写真（写真データ）として保存される。写真データは過去に処理したヘアスタイルの写真として閲覧される。
【００２７】
図２には、パソコンの画面１１に写真１３ａ、１３ｂ、１３ｃ、１３ｄをセットとして表示した例が示されている。この例において、写真１３ａ〜１３ｄのセットは会員１０の前後左右の写真で構成されている。
（コ）「【００５６】まず
会員１０の写真１３ａ〜１３ｄをＷｅｂサーバー１２に保存し、パソコン１８や携帯電話２０等のインターネット端末の画面上で閲覧可能な状態にする。
【００５７】
図７には、パソコン１８の画面５２に会員１０の写真１３ａ〜１３ｄが表示された状態が示されている。
（サ）「【００６０】
【発明の効果】本発明によれば、
美容院又は理容院以外の任意の場所において必要に応じてヘアスタイルの写真を閲覧できるため、美容院又は理容院に来店する前に、十分時間をかけて、会員が自己の過去のヘアスタイルに基づいて今回の処理内容を予め検討してから来店して、それを依頼することが可能となる
　前記（ケ）〜（サ）によれば、引用例３には、次の事項が記載されているといえる。
　
＜引用例３の記載事項＞
　「サーバに保存された前後左右をセットで撮影したヘアスタイルを閲覧する方法であって、前後左右の写真を並列して表示する」こと。
　「携帯電話を使って、前後左右をセットで撮影したヘアスタイルを閲覧し、自己の過去のヘアスタイルに基づいて、今回の処理内容を予め検討することを可能とする」こと。
（２−５）引用例４の発明について
　特開２００５−３８２９３号公報（以下、「引用例４」という。）には、図面とともに、以下の周知技術が記載されている。
（シ）「発明の詳細な説明】
【技術分野】
【０００１】
  本発明は、顧客データ管理方法及び顧客データ管理システムに関する。
  更に詳しくは、例えば、
美容室や理容室等にて、次回の施術の参考になる画像をカルテに収める
  また、技術者が参考にしたいアングルで画像が表示できるようにしたものに関する。
  更に、撮影した画像をカルテに収める作業が、コンピュータに負担をかけずに短時間でできるようにしたものに関する。
  更にまた、撮影した画像をカルテに収める作業にて、カルテに記録された日付に対応する画像だけが選別されて表示されるようにして、選択作業を簡単にしたものに関する。
【背景技術】
【０００２】
  美容室や理容室等においては、一般的に、顧客毎にカルテを作成して施術等の様子を記録し、次回の来店の際に今までの施術履歴が把握できるようにして、例えば、前回と同様の施術ができるようにするシステムが導入されている。近年、
上記カルテはコンピュータを使用し、データベースを構築することで管理されている
（ス）「【００５８】
  本実施の形態では、施術後の頭部画像を撮影して動画ファイルを作成したが、これは限定するものではなく、
カルテに収める動画は、例えば、
施術中のものでも良い。
　前記（シ）および（ス）によれば、引用例４には、次の周知技術が記載されているといえる。
　
＜引用例４の記載事項＞
　「美容室や理容室等にて、次回の施術の参考になる画像として施術中の動画をカルテに収めデータベースを構築する」こと。
（３）対比
（３−１）本願発明と引用例１発明とを対比する。
（ア）引用例１発明の「理美容院における撮影画像による顧客管理システム」は、「モバイル端末機」を用いて撮影画像を顧客に見せながらカウンセリングを行っているから、本願発明の「髪型決定支援システム」に対応する。
（イ）そして、引用例１発明の「画像サーバ」は、被施術者のヘアスタイルを正面、側面、あるいは、背面から撮影した画像を記憶し、この画像を無線ランネットワークに接続された「モバイル端末」で施術日変更ボタンをクリックすることで表示可能であるから、本願発明の「顧客ごとに過去にセットされた髪型の撮像データが記憶されたサーバ」と同様の動作を行っているとともに、「サーバに無線通信回線を介して表示端末機が接続され」ることと同様の構成を有し、また、「サーバは過去にセットされた髪型が複数の角度から撮像され撮像日ごとに」表示することと同様の動作を行っていると認められる。
　そうすると、引用例１発明の「画像サーバ」は、本願発明の「サーバ」に相当する。
　また、引用例１発明の「理美容院における撮影画像による顧客管理システム」は、本願発明の「顧客ごとに過去にセットされた髪型の撮像データが記憶されたサーバを備えた髪型決定支援システム」に相当する。
（ウ）引用例１発明の「モバイル端末機」は、無線ランネットワークに接続されており、また、画像サーバに格納された撮影画像を「モバイル端末機」を使って顧客に見せているから、本願発明のサーバに無線通信回線を介して接続された「表示端末機」に相当すると共に、「携帯性を有してサーバのデータベースに記憶されているファイルを閲覧可能に表示するディスプレイを有し」ていると認められる。
（エ）さらに、引用例１発明の「モバイル端末機」は、理美容師がペン入力等によって施術内容を顧客カルテデータベースに記憶させることや、来店した時に撮影した撮影画像を表示し、該撮影画像を顧客に見せながらカウンセリングを行うことを行っているから、本願発明の「店舗が使用するファイルの閲覧とファイルへのデータ入力との双方を実行できる店舗用表示端末機」に相当する。
（３−２）以上（ア）〜（エ）のことから、本願発明と引用例１発明とは、以下の点で一致し、また、相違する。
　
［一致点］
　顧客ごとに過去にセットされた髪型の撮像データが記憶されたサーバを備えた髪型決定支援システムにおいて、サーバに無線通信回線を介して表示端末機が接続され、サーバは過去にセットされた髪型が複数の角度から撮像され撮像日ごとに表示することができ、表示端末機は携帯性を有してサーバのデータベースに記憶されているファイルを閲覧可能に表示するディスプレイを有し店舗が使用するファイルの閲覧とファイルへのデータ入力との双方を実行できる店舗用表示端末機とからなることを特徴とする髪型決定支援システム。
［相違点１］
　本願発明は、過去にセットされた髪型が複数の角度から撮像され撮像日ごとに表示する際に、「複数の撮像データを並列して」表示しているのに対して、引用例１発明は、過去にセットされた髪型が複数の角度から撮像され撮像日ごとに表示することについて、具体的な表示形式については示されていない点。
［相違点２］
　本願発明は、過去にセットされた髪型が複数の角度から撮像され撮像日ごとに表示する際に、「各顧客の表示のトップ画面に並列された撮像日が選択されることによって各撮像日の画面が開かれる」のに対して、引用例１発明はそのようになっていない点。
［相違点３］
　本願発明は、「過去にセットされた髪型のセット作業の動画を含むファイルとして記憶されたデータベースを有し」ているのに対して、引用例１発明は、「過去にセットされた髪型のセット作業の動画を含むファイルとして記憶されたデータベースを有し」ていない点。
［相違点４］
　本願発明は、「
顧客
（３−３）当審の判断
　
　上記各相違点について検討する。
　
（ア）［相違点１］について
　引用例３の記載事項によれば、前後左右のヘアスタイル撮影した際に、それらのヘアスタイルを閲覧するときに、前後左右のヘアスタイルの写真を並列して表示することは、適宜行われている公知技術である。
　そして、引用例１発明も被施術者のヘアスタイルを正面、側面、あるいは、背面から撮影した画像を記憶しているから、これらの画像を表示する際に、引用例３に記載された公知技術のように、撮影した画像を並列して表示することは、当業者が適宜為し得る事項である。
（イ）［相違点２］について
　引用例２の記載事項によれば、各顧客のトップ画面の並列された来店日が選択されることにより、選択された来店日の施術後の完成したヘアスタイルの写真が呼び出されることは、公知の技術である。
　そして、引用例２の「来店日」と、本願発明の「撮影日」は、同じ日を表していることを考慮すると、「各顧客の表示のトップ画面に並列された撮像日が選択されることによって各撮像日の画面が開かれる」ことは、公知の技術であると言える。
　また、引用例１発明は「施術日変更ボタンをクリック」することにより、撮影日を選択しており、その際、引用例２に記載されているように、直接撮影日を指定することに、格別の困難性は認められないから、「施術日変更ボタンをクリック」することに換えて、「各顧客の表示のトップ画面に並列された撮像日が選択されることによって各撮像日の画面が開かれる」ようにすることは、当業者が必要に応じ適宜選択する事項である。
（ウ）［相違点３］について
　引用例４の記載事項によれば、美容室や理容室等にて、次回の施術の参考になる画像として施術中の動画をカルテに収めデータベースを構築することは、周知の技術である。
　そして、引用例１発明も、理美容院における撮影画像による顧客管理システムであり、顧客カルテを作成するものであるから、引用例１発明において、より詳しい施術内容を記録するために、引用例４に記載された周知技術のように、施術中の動画をデータベースに記憶するようにすることは、当業者が適宜為し得る事項である。
（エ）［相違点４］について
　引用例３の記載事項によれば、携帯電話を使って、前後左右をセットで撮影したヘアスタイルを閲覧し、自己の過去のヘアスタイルに基づいて、今回の処理内容を予め検討することを可能とすることは、公知の技術である。
　そして、引用例１発明において、顧客が事前にヘアスタイルを検討する際に、自己の過去のヘアスタイルを参考としたいと考えることは、当然想起される事項であるから、それを可能とするために、引用例３に記載された公知技術を適用し、「
顧客
（オ）小括
　そして、これらの相違点を総合的に勘案しても、本願発明の奏する作用効果は，引用例１発明及び公知の技術、並びに、周知の技術の奏する作用効果から予測される範囲内のものにすぎず、格別顕著なものということはできない。
　よって、本願発明は、引用例１発明及び公知の技術、並びに、周知の技術に基づいて当業者が容易に発明をすることができたものであるから、特許法第２９条第２項の規定により特許を受けることができない。
（４）請求人の主張について
　請求人は、平成２６年８月８日付けの審判請求書において
「二、補正後の本願発明と引用文献との比較 
 （ａ）本出願人は、前回意見書において 
 「・・・顧客との美容師との「事前打ち合わせ」と「中途打ち合わせ」との双方での有用性を発揮することを指向しています。」 
 　と主張したところ、これに対し審査官殿は、「・・・・そうすると、店舗用表示端末機は引用文献１に顧客用表示端末機は引用文献３に記載されている。・・・・２種類の表示端末機に相当する構成が開示されているのだから、出願人が主張するような使用形態は、当業者が商業上の目的に応じて適宜選択し得たものであると認められる。」とご指摘です。 
 　しかし、美容院用のパソコンと携帯電話の２種類の表示端末機があったからと言って、それだけで本発明が主張する「中途打合わせ」（「事前打合わせ」も含めて）をすることは困難です。 
 　このことを以下説明します。 
  
 （ｂ）先ず、本発明でいう「打合わせ」とは何か。 
・・・＜　中　略　＞・・・
（ｃ）次に、この「中途打ち合わせ」において、必要とされる更なる特徴を説明します。
・・・＜　中　略　＞・・・
（ｄ）加えて、本願の更なる特徴は、顧客用には当然にファイルの閲覧は可能としますが、この顧客用は「閲覧専用」としてデータの入力処理を行うことは不可能とし、入力データ処理等は、もっぱら「ファイルの閲覧とファイルへのデータ入力との双方を実行できる店舗用表示端末機」のみが実行できるものとすることです。 
 これは、上記の如く、顧客と美容師、理髪師とがそれぞれ顧客用表示端末と店舗用表示端末とを所有した場合、双方からの画面ファイルの閲覧を可能とした特性に合わせて、もし、当該ファイルへのデータ入力も可能とすると、顧客による入力は個々バラバラで規則性がないため、データ処理に統一性が失われてしまい、混乱の結果、再度の打合わせが困難となってしまうからです。 
 そこで、本願では、２台の端末機が、「顧客が使用するファイルの閲覧専用の顧客用表示端末機と店舗が使用するファイルの閲覧とファイルへのデータ入力との双方を実行できる店舗用表示端末機とからなる」ことを提案します。 
 ２台の表示端末機を所有するが故に生じる問題に対し、これを有効に解決し得る手段です。 
 斯かる課題及び構成も引用文献１〜４には存しません。
【結び】 
 上記に記載の如く、本発明には、a）必要な整理されたデータの共有、ｂ）時系列的表示による最終形態の予測とその中途変更、ｃ）その際の同一画面の表示とそこに至る操作の容易性、ｄ）及びそのデータの安全維持管理、からなる（a）〜（ｄ）のいずれの要件もが要求され、それを満たす構成こそが必要とされるのです。 
 　引用文献１、３には、このような中途打合わせという概念がなく、これを実行すべき構成もありません。 
 　仮に、引用文献１の「サロンＰＣ１」と引用文献３の「携帯電話２０」をもち寄ったとしても、上記した如き内容の中途打ち合わせを行うことは不可能です。 
 　そして、かかる概念は、美容、理容等の繊細な神経と心くばりが必要とされる作業において、革新的なものであり、上記引用文献１と３（及び２，４を加えて）から、上記（a）〜（ｄ）の要件を満たす構成が生まれるはずがなく、これは決して「当業者が商業上の目的に応じて適宜選択し得るもの」ではないものと思料します。 
 　よって、本願は、引用文献１〜4を基に当業者が容易に発明することができるものではなく、特許法第２９条第２項の規定には該当しないものと思料します。 
 　従って、本願発明は請求の趣旨の通り、原査定を取り消し、この出願は特許とすべきものであるとの審決を賜りたく、お願い致します。 」
旨主張している。
　しかしながら、請求人が主張する「打合わせ」や「中途打ち合わせ」は、「髪型決定支援システム」の使用形態の一つにすぎないし、そもそも特許請求の範囲の請求項１に記載されたものではないから、請求人の上記主張は採用することはできない。
（５）進歩性についての結論
　したがって、請求項１に記載された発明は、引用発明１及び公知の技術、並びに、周知の技術に基づいて、当業者が容易に発明をすることができたものである。
第４　むすび
　上記のとおり、請求項１に記載された発明は、特許法第２９条第２項の規定により特許を受けることができない。
　したがって、本願は他の請求項について検討するまでもなく拒絶されるべきものである。
　
　よって、結論のとおり審決する。